(57)【要約】【課題】車両後部内埋込型の排気マフラにも排気ガス排出用の排気吸引ノズルを適用できるようにした排気ガス排出システムにおける排気吸引ノズル取付装置を提供する。【解決手段】排気吸引ホース５の先端に設けた排気吸引ノズル６を、この排気吸引ノズル６に装着した接続クリップ９により、排気吸引ノズル取付装置11を介して、車両後部4rに内蔵した排気マフラ4mに接続する。排気吸引ノズル取付装置11は、１対の長尺挟持体12，13の先端部に、排気マフラ4mの開口縁を挟持するマフラ挟持部14，15をそれぞれ設ける。長尺挟持体12，13のマフラ挟持部14，15が排気マフラ4mの開口縁を挟持した状態を固定する挟持固定機構16を設ける。この挟持固定機構16により排気マフラ4mに固定される長尺挟持体12の後端部に設けたノズル接続部17を、排気吸引ノズル６の接続クリップ９により挟む。【選択図】図１
2008008510.tif 000002
【特許請求の範囲】
【請求項１】
排気マフラに排気吸引ホースの先端に設けられた排気吸引ノズルを、この排気吸引ノズルに装着された接続クリップにより接続して排気ガスを吸引し、作業場内より排出する排気ガス排出システムにおいて、
排気マフラの開口縁を先端部に設けられたマフラ挟持部で挟持する１対の長尺挟持体と、
これらの長尺挟持体が排気マフラの開口縁を挟持した状態を固定する挟持固定機構とを具備し、
この挟持固定機構により排気マフラに固定される１対の長尺挟持体の少なくとも一方は、その後端部に排気吸引ノズルをその接続クリップにより接続するノズル接続部を有する
ことを特徴とする排気ガス排出システムにおける排気吸引ノズル取付装置。
【請求項２】
挟持固定機構は、
１対の長尺挟持体間に設けられ長尺挟持体間の間隔拡大を規制する規制軸部と、
この規制軸部を介してマフラ挟持部とは反対側で１対の長尺挟持体の一方に螺合され他方を押圧するアジャスタと、
このアジャスタを回動するノブと
を具備したことを特徴とする請求項１記載の排気ガス排出システムにおける排気吸引ノズル取付装置。
【請求項３】
１対の長尺挟持体のマフラ挟持部は、耐熱性樹脂でコーティングされた
ことを特徴とする請求項１または２記載の排気ガス排出システムにおける排気吸引ノズル取付装置。
【発明の詳細な説明】
【技術分野】
【０００１】
本発明は、排気マフラからの排気ガスを作業場内より排出する排気ガス排出システムにおける排気吸引ノズル取付装置に関する。
【背景技術】
【０００２】
主に自動車を主体とする排気ガスがCO、NOx等の有害な成分を含んでいることは一般に知られている。これらの排気ガスは自動車の走行中だけでなく、車検をはじめとする各種の整備の際にも排出される。特に、作業場内ではこれらの排気ガスがこもりやすく、また換気のためにシャッタを開放しても、床面近くによどんだ排気ガスは換気されず、暖房、冷房などの効率も悪くなる。
【０００３】
このような状況は整備工場だけでなく、多数の車両が出入りする荷降ろし場、消防署などの車庫などにも見受けられる。そこで、これらの場所で車両から排出される排気ガスを効率よく吸引、排出する排気ガス排出システムがあり、作業環境の向上、作業能率の向上などに貢献している（例えば、特許文献１参照）。
【０００４】
例えば、図３に示されるように、排気ガスを吸引、排出するためのファン１の吸込口に、配管２、リール３などを介して、車両４の排気マフラから排気ガスをファン１に導くための排気吸引ホース５が接続され、この排気吸引ホース５の先端に、排気吸引ホース５を車両４の排気マフラに接続するための排気吸引ノズル６が設けられた排気ガス排出システムがある。
【０００５】
排気ガス排出システムにおける排気吸引ノズル６は、図４に示されるように、取手７が設けられたノズル本体８の上部にバイスクリップなどの接続クリップ９が挿入されたもので、この接続クリップ９の操作部9aはノズル本体８の外部に突出され、挟持刃9bはノズル本体８の開口部内に配置されている。そして、車両後部4rから突出された排気マフラ4mの開口縁部をこの接続クリップ９の挟持刃9bで挟むようにして、排気吸引ノズル６を排気マフラ4mに接続し、排気マフラ4mから排出する排気ガスを外気とともにノズル本体８内に吸引している。
【特許文献１】特開２００２−１０６９０３号公報（第１頁、図１）
【発明の開示】
【発明が解決しようとする課題】
【０００６】
この排気吸引ノズル６の接続クリップ９は、図４に示されるように車両後部4rから突出された排気マフラ4mには適用できるが、車両後部デイフューザ内に埋込まれたタイプの排気マフラには適用できない問題がある。
【０００７】
本発明は、このような点に鑑みなされたもので、車両後部内埋込型の排気マフラにも排気ガス排出用の排気吸引ノズルを適用できるようにした排気ガス排出システムにおける排気吸引ノズル取付装置を提供することを目的とする。
【課題を解決するための手段】
【０００８】
請求項１に記載された発明は、排気マフラに排気吸引ホースの先端に設けられた排気吸引ノズルを、この排気吸引ノズルに装着された接続クリップにより接続して排気ガスを吸引し、作業場内より排出する排気ガス排出システムにおいて、排気マフラの開口縁を先端部に設けられたマフラ挟持部で挟持する１対の長尺挟持体と、これらの長尺挟持体が排気マフラの開口縁を挟持した状態を固定する挟持固定機構とを具備し、この挟持固定機構により排気マフラに固定される１対の長尺挟持体の少なくとも一方は、その後端部に排気吸引ノズルをその接続クリップにより接続するノズル接続部を有する排気ガス排出システムにおける排気吸引ノズル取付装置である。
【０００９】
請求項２に記載された発明は、請求項１記載の排気ガス排出システムにおける排気吸引ノズル取付装置において、挟持固定機構が、１対の長尺挟持体間に設けられ長尺挟持体間の間隔拡大を規制する規制軸部と、この規制軸部を介してマフラ挟持部とは反対側で１対の長尺挟持体の一方に螺合され他方を押圧するアジャスタと、このアジャスタを回動するノブとを具備したものである。
【００１０】
請求項３に記載された発明は、請求項１または２記載の排気ガス排出システムにおける排気吸引ノズル取付装置において、１対の長尺挟持体のマフラ挟持部が、耐熱性樹脂でコーティングされたものである。
【発明の効果】
【００１１】
請求項１に記載された発明によれば、排気マフラの開口縁を１対の長尺挟持体の先端部に設けられたマフラ挟持部で挟持して挟持固定機構で固定し、これらの長尺挟持体の少なくとも一方の後端部が有するノズル接続部に排気吸引ノズルをその接続クリップにより接続するので、車両後部内埋込型の排気マフラにも長尺挟持体を介して排気ガス排出用の排気吸引ノズルを適用できる。
【００１２】
請求項２に記載された発明によれば、１対の長尺挟持体間に長尺挟持体間の間隔拡大を規制する規制軸部を設け、この規制軸部を介してマフラ挟持部とは反対側で１対の長尺挟持体の一方に螺合されたアジャスタをノブで回動して他方を押圧し、１対の長尺挟持体間を開くことで、規制軸部を支点にマフラ挟持部間を閉じるので、１対の長尺挟持体により排気マフラの開口縁を挟持した状態を、排気マフラの状態に応じて確実に固定できる。
【００１３】
請求項３に記載された発明によれば、耐熱性樹脂でコーティングされた長尺挟持体のマフラ挟持部により、これらのマフラ挟持部が挟持する排気マフラの損傷を防止できるとともに、締付け固定も確実にできる。
【発明を実施するための最良の形態】
【００１４】
以下、本発明を、図１および図２に示された一実施の形態を参照しながら詳細に説明する。なお、図３および図４と同一の部分には、同一符号を付して、その説明を省略する。
【００１５】
図１は、排気吸引ホース５の先端に設けられた排気吸引ノズル６を、この排気吸引ノズル６に装着された接続クリップ９により、排気吸引ノズル取付装置11を介して、車両後部4rに内蔵された排気マフラ4mに接続して、この排気マフラ4mから排出された排気ガスを空気とともに吸引し、作業場内より排出する状態を示す。
【００１６】
図２に示されるように、排気吸引ノズル取付装置11は、凹型断面の長尺部材で成形された１対の長尺挟持体12，13の先端部に、車両後部4rに内蔵された排気マフラ4mの開口縁を挟持するマフラ挟持部14，15がそれぞれ設けられ、これらの長尺挟持体12，13のマフラ挟持部14，15が排気マフラ4mの開口縁を挟持した状態を固定する挟持固定機構16が設けられている。
【００１７】
この挟持固定機構16により排気マフラ4mに固定される１対の長尺挟持体12，13の一方は、その後端部に排気吸引ノズル６をその接続クリップ９により接続するノズル接続部17を有する。このノズル接続部17は、１対の長尺挟持体12，13の後端部にそれぞれ設けてもよい。
【００１８】
挟持固定機構16は、１対の長尺挟持体12，13間に設けられ長尺挟持体12，13間の間隔拡大を規制する規制軸部21と、この規制軸部21を介してマフラ挟持部14，15とは反対側で１対の長尺挟持体12，13の一方に螺合され他方を押圧するアジャスタ22と、このアジャスタ22を回動するノブ23とを具備している。
【００１９】
規制軸部21は、ボルト24にワッシャ25、カラー26およびワッシャ27が嵌着されナット28が螺着されたもので、カラー26が、１対の長尺挟持体12，13に穿設された穴（図示せず）に嵌合され、ワッシャ25，27が、長尺挟持体12，13の凹部底面に係合されている。
【００２０】
アジャスタ22は、長尺挟持体13に固定されたナット31にボルト32が螺合され、このボルト32の先端に皿形の押圧体33が回動自在に取付けられ、対向する長尺挟持体12に当接されている。ノブ23は、ボルト32に螺合され、ナット34により締着一体化されている。
【００２１】
１対の長尺挟持体12，13のマフラ挟持部14，15より後側部間には、ネジ35にカラー36を介しナット37を螺着した案内軸部38が、カラー36で嵌着されている。この案内軸部38と前記規制軸部21とにより、１対の長尺挟持体12，13間のずれが規制され、マフラ挟持部14，15間が位置合わせされている。
【００２２】
１対の長尺挟持体12，13のマフラ挟持部14，15は、ポリオレフィン樹脂などの耐熱性樹脂でコーティングされている。１対の長尺挟持体12，13の把持用中間部39，40も、同様の耐熱性樹脂でコーティングされている。
【００２３】
次に、この実施の形態の作用を説明する。
【００２４】
図１に示されるように、車両後部4r内の排気マフラ4mの上部に沿って排気吸引ノズル取付装置11のマフラ挟持部14，15を差込む。このとき、ノブ23が下側になるように差込む。
【００２５】
ノブ23を回し、アジャスタ22にて一方の長尺挟持体13に対し相手の長尺挟持体12の後部を押圧して開くことで、規制軸部21を支点に反対側のマフラ挟持部14，15間を閉じ、これらのマフラ挟持部14，15により排気マフラ4mの開口縁を挟持し、排気吸引ノズル取付装置11を排気マフラ4mに固定する。
【００２６】
アジャスタ22をある程度締付けたら、排気吸引ノズル取付装置11を引張り、排気マフラ4mより外れないことを確認する。外れそうな場合、または外れた場合は、締付けが足りないので、排気吸引ノズル取付装置11のマフラ挟持部14，15を再度奥まで差込み、ノブ23を回し、アジャスタ22にて締付け直す。
【００２７】
排気マフラ4mに固定された排気吸引ノズル取付装置11のノズル接続部17を、排気吸引ノズル６のバイスクリップなどの接続クリップ９により挟んで、排気吸引ノズル６を排気吸引ノズル取付装置11に固定する。
【００２８】
このとき、図１に示されるように排気吸引ノズル６の開口縁下部にピン41により回動自在に軸支されて図示しないスプリングにより上方へ付勢されている蓋42は、排気吸引ノズル６の先端開口を閉じないようにノブ23により係止されている。排気吸引ノズル６を使用しないときは蓋42を閉じて、使用する排気吸引ノズルの吸引効率の低下を防止する。
【００２９】
そして、排気マフラ4mから排出する排気ガスを外気とともに排気吸引ノズル６の開口から吸込み、排気吸引ホース５へと吸引する。
【００３０】
次に、この実施の形態の効果を説明する。
【００３１】
車両後部4r内の排気マフラ4mの開口縁を、１対の長尺挟持体12，13の先端部に設けられたマフラ挟持部14，15で挟持して挟持固定機構16で固定し、これらの長尺挟持体12，13の少なくとも一方の後端部が有するノズル接続部17に排気吸引ノズル６をその接続クリップ９により接続するので、車両後部内埋込型の排気マフラ4mにも長尺挟持体12，13を介して排気ガス排出用の排気吸引ノズル６を適用できる。
【００３２】
１対の長尺挟持体12，13間に長尺挟持体12，13間の間隔拡大を規制する規制軸部21を設け、この規制軸部21を介してマフラ挟持部14，15とは反対側で１対の長尺挟持体12，13の一方に螺合されたアジャスタ22をノブ23で回動して他方を押圧し、１対の長尺挟持体12，13間を開くことで、規制軸部21を支点にマフラ挟持部14，15間を閉じるので、１対の長尺挟持体12，13により排気マフラ4mの開口縁を挟持した状態を、排気マフラ4mの状態に応じて確実に固定できる。
【００３３】
耐熱性樹脂でコーティングされた長尺挟持体12，13のマフラ挟持部14，15により、これらのマフラ挟持部14，15が挟持する排気マフラ4mの損傷を防止できるとともに、締付け固定も確実にできる。
【００３４】
なお、本発明は、車両整備工場をはじめ多くの車両を取り抜う作業場、また車両だけでなく各種の産業においても有害な排気ガスの排出に対して利用可能である。
【図面の簡単な説明】
【００３５】
【図１】本発明に係る排気ガス排出システムにおける排気吸引ノズル取付装置の一実施の形態を示す使用状態の側面図である。
【図２】同上ノズル取付装置の側面図である。
【図３】同上排気ガス排出システムのシステム構成図である。
【図４】従来の排気吸引ノズルの使用状態を示す側面図である。
【符号の説明】
【００３６】
4m    排気マフラ
５    排気吸引ホース
６    排気吸引ノズル
９    接続クリップ
11    排気吸引ノズル取付装置
12，13    長尺挟持体
14，15    マフラ挟持部
16    挟持固定機構
17    ノズル接続部
21    規制軸部
22    アジャスタ
23    ノブ
【図１】
2008008510.tif 000003
【図２】
2008008510.tif 000004
【図３】
2008008510.tif 000005
【図４】
2008008510.tif 000006